(57)【要約】【課題】消防ホースを昇降支持体の係止手段に係止させた状態で該昇降支持体を電気モータにより昇降させる従来の消防ホース乾燥装置を改良し、該電気モータが停電等により回転しなくなったときでも、該昇降支持体を容易かつ安全に下降させる。【解決手段】消防ホース乾燥塔１に昇降支持体を昇降自在に取り付け、該昇降支持体には消防ホースを係止する係止手段を備えさせ、該消防ホース乾燥塔の下部にワイヤドラム９を水平方向に回転自在に配設し、該消防ホース乾燥塔の上部にワイヤ支承輪を配設し、該ワイヤドラムに巻き付けたワイヤ１７の一端を該ワイヤ支承輪を介して該昇降支持体に連結し、該ワイヤドラムを電気モータ１９に関連させる。前記ワイヤドラムと前記電気モータとの間にクラッチ手段２９を介在させ、該ワイヤドラムを油圧モータ３１に関連させ、該油圧モータに流量調整弁を備えさせる。【選択図】図４
0003168390.tif 000002
【実用新案登録請求の範囲】
【請求項１】
消防ホース乾燥塔に昇降支持体を昇降自在に取り付け、該昇降支持体には消防ホースを係止する係止手段を備えさせ、該消防ホース乾燥塔の下部にワイヤドラムを水平方向に回転自在に配設し、該消防ホース乾燥塔の上部にワイヤ支承輪を配設し、該ワイヤドラムに巻き付けたワイヤの一端を該ワイヤ支承輪を介して該昇降支持体に連結し、該ワイヤドラムを電気モータに関連させた消防ホース乾燥装置において、
前記ワイヤドラムと前記電気モータとの間にクラッチ手段を介在させ、該ワイヤドラムを油圧モータに関連させ、該油圧モータに流量調整弁を備えさせたことを特徴とする消防ホース乾燥装置。
【考案の詳細な説明】
【技術分野】
【０００１】
本考案は、消防ホース乾燥装置に関するものであり、更に詳しくは、消火作業終了後、消火現場より消防施設等に持ち帰った消防ホースを乾燥させるための消防ホース乾燥装置に係るものである。
【背景技術】
【０００２】
消防ホースは、消火作業終了後、消防施設等に持ち帰り、洗浄、乾燥させて再使用に備えさせなければならない。
【０００３】
実用新案登録第２５３９９９８号公報は、消防ホースを洗浄、乾燥させるための装置として、消防ホース洗浄機と消防ホース吊り下げ装置とよりなる消防ホース洗浄・吊り下げ装置を開示している。
【０００４】
この消防ホース洗浄・吊り下げ装置における消防ホース吊り下げ装置（以下「従来の消防ホース吊り下げ装置」という。）は、消防ホース乾燥塔に滑車を介して吊り下げられたゴンドラに濡れた消防ホースを吊り下げ、該ゴンドラを手動で上昇させて該消防ホースを乾燥させるようにしたものである。
【０００５】
一方、従来の消防ホース吊り下げ装置とは別に、消防ホース乾燥塔に昇降支持体を昇降自在に取り付け、該昇降支持体には消防ホースを係止する係止手段を備えさせ、該昇降支持体を電気モータにより昇降させるようにしてなる消防ホース乾燥装置（以下「従来の消防ホース乾燥装置」という。）が既に使用されている。
【０００６】
すなわち、従来の消防ホース乾燥装置においては、昇降支持体を電気モータにより昇降させるために、消防ホース乾燥塔の下部にワイヤドラムを水平方向に回転自在に配設し、該消防ホース乾燥塔の上部にワイヤ支承輪を配設し、該ワイヤドラムに巻き付けたワイヤの一端を該ワイヤ支承輪を介して該昇降支持体に連結し、該ワイヤドラムを電気モータに関連させている。
【０００７】
上記従来の消防ホース乾燥装置においては、濡れた消防ホースを昇降支持体の係止手段に係止させた状態で該昇降支持体を電気モータにより上昇させて該消防ホースを乾燥させるようにしている。
【先行技術文献】
【特許文献】
【０００８】
【特許文献１】実用新案登録第２５３９９９８号公報
【考案の概要】
【考案が解決しようとする課題】
【０００９】
しかるに、上記従来の消防ホース吊り下げ装置においては、消防ホースを吊り下げたゴンドラを手動で昇降させるようにしているため、該ゴンドラの昇降作業には多大の労力を要するという問題がある。
【００１０】
一方、上記従来の消防ホース乾燥装置においては、電気モータが停電その他の原因により回転しなくなったときには該消防ホースを降ろす際には、例えばロープ等を該消防ホースに引掛けて該ロープ等を引き下げることにより該消防ホースを昇降支持体の係止手段から外して地上に落下させる必要がある。しかしながら、その際、消防ホースに取り付けられている接続具等の金具が作業員に衝突する等の危険が生ずるおそれがある。
【００１１】
上述の如き状況に鑑み、本考案は、消防ホースを昇降支持体の係止手段に係止させた状態で該昇降支持体を電気モータにより昇降させるようにした上記従来の消防ホース乾燥装置を改良し、該電気モータが停電その他の原因により回転しなくなったときでも、該昇降支持体を容易かつ安全に下降させることができるようにした消防ホース乾燥装置を提供しようとしてなされたものである。
【課題を解決するための手段】
【００１２】
上記課題を解決するために、本考案は、下記の消防ホース乾燥装置を提供する。
【００１３】
消防ホース乾燥塔に昇降支持体を昇降自在に取り付け、該昇降支持体には消防ホースを係止する係止手段を備えさせ、該消防ホース乾燥塔の下部にワイヤドラムを水平方向に回転自在に配設し、該消防ホース乾燥塔の上部にワイヤ支承輪を配設し、該ワイヤドラムに巻き付けたワイヤの一端を該ワイヤ支承輪を介して該昇降支持体に連結し、該ワイヤドラムを電気モータに関連させた消防ホース乾燥装置において、
前記ワイヤドラムと前記電気モータとの間にクラッチ手段を介在させ、該ワイヤドラムを油圧モータに関連させ、該油圧モータに流量調整弁を備えさせたことを特徴とする消防ホース乾燥装置。
【考案の効果】
【００１４】
常時においては、消防ホースを吊り下げた昇降支持体は電気モータにより昇降させるのであるが、消防ホースを吊り下げた昇降支持体が上昇位置にあるときに、電気モータが停電その他の原因により回転しなくなった場合には、クラッチ手段により該電気モータとワイヤドラムとの間の動力伝達を遮断し、油圧モータをワイヤドラムに対するいわばブレーキとなし、該油圧モータのブレーキ作用により該ワイヤドラムの回転を制御しつつ、該昇降支持体を安全に下降させることができる。
【００１５】
この場合、油圧モータに備えさせた流量調整弁を操作することにより、昇降支持体の下降速度を適宜調整し、以て、消防ホース乾燥塔の高い位置に消防ホースが吊り下げられている場合でも、該消防ホースを安全かつ容易に地上に降ろすことができる。
【図面の簡単な説明】
【００１６】
【図１】図１は、本考案による消防ホース乾燥装置の一例を示す正面図である。
【図２】図２は、同上消防ホース乾燥装置の側面図である。
【図３】図３は、ワイヤドラムと電気モータと油圧モータとを示す側面図である。
【図４】図４は、ワイヤドラムと電気モータと油圧モータとを示す正面図である。
【図５】図５は、昇降支持体の係止手段に消防ホースを係止させた状態を示す正面図である。
【考案を実施するための形態】
【００１７】
まず、本考案による消防ホース乾燥装置が上記従来の消防ホース乾燥装置と共通する点について説明する。
【００１８】
符号１に示すものは消防ホース乾燥塔である。消防ホース乾燥塔１には昇降支持体３を昇降自在に取り付ける。昇降支持体３は、一例として、両端に垂直部材３ａ、３ａを備え、各垂直部材３ａは回転自在のコロ（図示せず。）を介して消防ホース乾燥塔１の内面に上下動自在に接触している。
【００１９】
昇降支持体３には消防ホース５を係止する係止手段７を備えさせる。係止手段７は、消防ホース５を係脱自在に支持するものであれば、いかなるものであってもよい。図５参照。
【００２０】
消防ホース乾燥塔１の下部にはワイヤドラム９を水平方向に回転自在に配設する。符号１１に示すものはワイヤドラム９の回転軸、符号１３に示すものは該回転軸１１を支承する支承体である。
【００２１】
消防ホース乾燥塔１の上部にはワイヤ支承輪１５を配設する。ワイヤドラム９に巻き付けたワイヤ１７の一端１７ａを該ワイヤ支承輪１５を介して該昇降支持体３に連結する。符号３ｂに示すものは、昇降支持体３に突設されたワイヤ固定具であり、ワイヤ１７の当該一端１７ａを該ワイヤ固定具３ｂに固定する。
【００２２】
図示の事例においては、ワイヤドラム９に二本のワイヤ１７を各別に巻き付け、消防ホース乾燥塔１の上部には二個のワイヤ支承輪１５を配設し、各ワイヤ１７を各ワイヤ支持輪１５に巻掛けている。各ワイヤ支持輪１５は、好ましくは、そらせ車とし、二本のワイヤ１７により昇降支持体３をバランスよく吊り下げさせるようになす。
【００２３】
ワイヤドラム９を電気モータ１９に関連させる。すなわち、一例として、ワイヤドラム９の回転軸１１の一端に従動スプロケット２１を設け、該電気モータ１９の出力軸に駆動スプロケット２３を設け、該従動スプロケット２１と駆動スプロケット２３との間にチェーン２５を巻きかける。なお、符号２７に示すものは、吊り下げられた消防ホース５の振れを防止するための振れ止め杆である。
【００２４】
次に、本考案による消防ホース乾燥装置が上記従来の消防ホース乾燥装置と相違する点について説明する。
【００２５】
本考案においては、前記ワイヤドラム９と前記電気モータ１９との間にクラッチ手段２９を介在させる。該クラッチ手段２９は、電気モータ１９とワイヤドラム９との間の動力伝達を遮断するものであり、一例として適宜の操作杆（図示せず。）により操作されるかみ合いクラッチとする。
【００２６】
更に、ワイヤドラム９を油圧モータ３１に関連させる。すなわち、一例として、ワイヤドラム９の回転軸１１の他端に第二の従動スプロケット３３を設け、該油圧モータ３１の出力軸に第二の駆動スプロケット３５を設け、該第二の従動スプロケット３３と第二の駆動スプロケット３５との間にチェーン３７を巻きかける。
【００２７】
油圧モータ３１には適宜の流量調整弁３９を備えさせ、該流量調整弁３９を操作することにより昇降支持体３の下降速度を適宜調整することができるようになす。
【符号の説明】
【００２８】
１  消防ホース乾燥塔
３  昇降支持体
３ａ  垂直部材
３ｂ  ワイヤ固定具
５  消防ホース
７  係止手段
９  ワイヤドラム
１１  回転軸
１３  支承体
１５  ワイヤ支承輪
１７  ワイヤ
１７ａ  一端
１９  電気モータ
２１  従動スプロケット
２３  駆動スプロケット
２５  チェーン
２７  振れ止め杆
２９  クラッチ手段
３１  油圧モータ
３３  第二の従動スプロケット
３５  第二の駆動スプロケット
３７  チェーン
３９  流量調整弁
【図１】
0003168390.tif 000003
【図２】
0003168390.tif 000004
【図３】
0003168390.tif 000005
【図４】
0003168390.tif 000006
【図５】
0003168390.tif 000007